(57)【要約】【課題】受液器内への乾燥剤の収納作業および取り出し作業を容易に行いうるコンデンサを提供する。【解決手段】コンデンサは、凝縮部と、凝縮部の上方の過冷却部と、受液器２とを備えている。受液器２内に、冷媒流入口26を介して凝縮部に通じる第１空間29と、第１空間31の上方に位置しかつ冷媒流出口27を介して過冷却部に通じる第２空間31とを形成する。受液器２内に、受液器２内を第１空間29と第２空間31とに区画する仕切部39を設ける。受液器２の第１空間29内に、第１空間29と第２空間31とを通じさせる吸い上げ路33を有する吸い上げ部材32を配置する。吸い上げ部材32の吸い上げ路33内に乾燥剤34を封入し、冷媒流入口26を通って受液器２の第１空間29内に流入した冷媒のすべてが、吸い上げ部材32の吸い上げ路33を通る際に乾燥剤34に触れるようにする。【選択図】図３
2019138500.tif 000002
【特許請求の範囲】
【請求項１】
凝縮部と、凝縮部の上方に設けられた過冷却部と、凝縮部と過冷却部との間に設けられた受液器とを備えているとともに、凝縮部から流出した冷媒が、受液器を経て過冷却部に流入するようになっており、受液器が、長手方向を上下方向に向け、かつ一端が閉鎖されるとともに他端が開口した筒状の受液器本体と、受液器本体の他端部に着脱自在に取り付けられて他端開口を閉鎖する閉鎖部材とを有し、受液器に、凝縮部から冷媒が流入する冷媒流入口、および冷媒流入口の上方に位置しかつ過冷却部に冷媒を流出させる冷媒流出口が形成され、受液器内に、冷媒流入口を介して凝縮部に通じる第１空間と、第１空間の上方に位置しかつ冷媒流出口を介して過冷却部に通じる第２空間とが形成され、受液器内に、受液器内を第１空間と第２空間とに区画する仕切部が設けられ、受液器の第１空間内に、第１空間と第２空間とを通じさせる吸い上げ路を有する吸い上げ部材が配置されており、冷媒流入口を通って受液器の第１空間内に流入した冷媒が、吸い上げ部材の吸い上げ路を通って第２空間に入り、冷媒流出口を通って過冷却部に流出するようになされているコンデンサにおいて、
吸い上げ部材の吸い上げ路内に乾燥剤が封入され、冷媒流入口を通って受液器の第１空間内に流入した冷媒のすべてが、吸い上げ部材の吸い上げ路を通る際に乾燥剤に触れるようになっているコンデンサ。
【請求項２】
吸い上げ部材の上部に、仕切部よりも上方に突出した上方突出部が設けられ、吸い上げ部材の吸い上げ路が、仕切部よりも下方に形成された主通路部、および主通路部に通じるように上方突出部に形成された延長通路部よりなり、乾燥剤が、吸い上げ路の主通路部および延長通路部に封入されている請求項１記載のコンデンサ。
【請求項３】
吸い上げ部材に、吸い上げ路を第１空間に通じさせる第１連通口および第２空間に通じさせる第２連通口が形成され、第１連通口が、冷媒を通過させるとともに乾燥剤の流出を防止し、かつ異物を除去するフィルタにより覆われ、第２連通口が、冷媒を通過させるとともに乾燥剤の流出を防止する流出防止部材により覆われている請求項１または２記載のコンデンサ。
【請求項４】
吸い上げ部材が、上下両端が開口した筒状体と、筒状体の下端部内に挿入されたプラグとを有し、筒状体の周壁に仕切部が外向きに一体に設けられるとともに周縁部が受液器内周面に接触し、プラグに第１連通口が形成され、筒状体の上端開口が第２連通口となっている請求項３記載のコンデンサ。
【請求項５】
吸い上げ部材が、上下両端が開口しかつ横断面形状が全長にわたって同一である第１筒状体と、上端が閉鎖されるとともに下端が開口し、かつ第１筒状体の上部の外周に嵌め被せられた第２筒状体と、第１筒状体の下端部内に挿入されたプラグとを有し、第２筒状体の周壁に仕切部が外向きに一体に設けられるとともに周縁部が受液器内周面に接触し、プラグに第１連通口が形成され、第２筒状体の周壁に第２連通口が形成されている請求項３記載のコンデンサ。
【発明の詳細な説明】
【技術分野】
【０００１】
この発明は、たとえばカーエアコンを構成する冷凍サイクルに用いられるコンデンサに関する。
【０００２】
この明細書および特許請求の範囲において、図１および図２の上下、左右を上下、左右というものとする。
【背景技術】
【０００３】
カーエアコンを構成する冷凍サイクルのコンデンサとして、凝縮部と、凝縮部の上方に設けられた過冷却部と、凝縮部と過冷却部との間に設けられた受液器とを備えており、凝縮部および過冷却部に、それぞれ長手方向を左右方向に向けるとともに上下方向に間隔をおいて並列状に配置された複数の熱交換管からなる少なくとも１つの熱交換パスが設けられ、凝縮部から流出した冷媒が、受液器を経て過冷却部に流入するようになっており、受液器に、凝縮部から冷媒が流入する冷媒流入口、および冷媒流入口の上方に位置しかつ過冷却部に冷媒を流出させる冷媒流出口が形成され、受液器内における凝縮部と過冷却部との間の高さ位置に、凝縮部内を冷媒流入口を介して凝縮部に通じる第１空間と、第１空間の上方に位置しかつ冷媒流出口を介して過冷却部に通じる第２空間とに区画する水平板状の仕切部材が配置され、受液器の第１空間内に、第１空間と第２空間とを通じさせる吸い上げ路を有する吸い上げ部材が配置され、第１空間内に、吸い上げ管とは別個に設けられ、かつ乾燥剤が収容された管状の乾燥剤バッグまたは管状の乾燥剤カートリッジが配置されたコンデンサが知られている(特許文献１参照）。
【０００４】
特許文献１記載のコンデンサにおいては、凝縮部を通過した冷媒が冷媒流入口から受液器内の第１空間に流入した後、吸い上げ管を通って第２空間に流入し、その後冷媒流出口から過冷却部に入るようになっている。
【０００５】
しかしながら、特許文献１記載のコンデンサにおいては、受液器の第１空間内への乾燥剤バッグまたは乾燥剤カートリッジの脱着作業が困難であり、ひいては受液器内への乾燥剤の収納作業および取り出し作業が面倒になる。
【先行技術文献】
【特許文献】
【０００６】
【特許文献１】特許第４７４３８０２号公報
【発明の概要】
【発明が解決しようとする課題】
【０００７】
この発明の目的は、上記問題を解決し、受液器内への乾燥剤の収納作業および取り出し作業を容易に行いうるコンデンサを提供することにある。
【課題を解決するための手段】
【０００８】
本発明は、上記目的を達成するために以下の態様からなる。
【０００９】
1)凝縮部と、凝縮部の上方に設けられた過冷却部と、凝縮部と過冷却部との間に設けられた受液器とを備えているとともに、凝縮部から流出した冷媒が、受液器を経て過冷却部に流入するようになっており、受液器が、長手方向を上下方向に向け、かつ一端が閉鎖されるとともに他端が開口した筒状の受液器本体と、受液器本体の他端部に着脱自在に取り付けられて他端開口を閉鎖する閉鎖部材とを有し、受液器に、凝縮部から冷媒が流入する冷媒流入口、および冷媒流入口の上方に位置しかつ過冷却部に冷媒を流出させる冷媒流出口が形成され、受液器内に、冷媒流入口を介して凝縮部に通じる第１空間と、第１空間の上方に位置しかつ冷媒流出口を介して過冷却部に通じる第２空間とが形成され、受液器内に、受液器内を第１空間と第２空間とに区画する仕切部が設けられ、受液器の第１空間内に、第１空間と第２空間とを通じさせる吸い上げ路を有する吸い上げ部材が配置されており、冷媒流入口を通って受液器の第１空間内に流入した冷媒が、吸い上げ部材の吸い上げ路を通って第２空間に入り、冷媒流出口を通って過冷却部に流出するようになされているコンデンサにおいて、
吸い上げ部材の吸い上げ路内に乾燥剤が封入され、冷媒流入口を通って受液器の第１空間内に流入した冷媒のすべてが、吸い上げ部材の吸い上げ路を通る際に乾燥剤に触れるようになっているコンデンサ。
【００１０】
2)吸い上げ部材の上部に、仕切部よりも上方に突出した上方突出部が設けられ、吸い上げ部材の吸い上げ路が、仕切部よりも下方に形成された主通路部、および主通路部に通じるように上方突出部に形成された延長通路部よりなり、乾燥剤が、吸い上げ路の主通路部および延長通路部に封入されている上記1)記載のコンデンサ。
【００１１】
3)吸い上げ部材に、吸い上げ路を第１空間に通じさせる第１連通口および第２空間に通じさせる第２連通口が形成され、第１連通口が、冷媒を通過させるとともに乾燥剤の流出を防止し、かつ異物を除去するフィルタにより覆われ、第２連通口が、冷媒を通過させるとともに乾燥剤の流出を防止する流出防止部材により覆われている上記1)または2)記載のコンデンサ。
【００１２】
4)吸い上げ部材が、上下両端が開口した筒状体と、筒状体の下端部内に挿入されたプラグとを有し、筒状体の周壁に仕切部が外向きに一体に設けられるとともに周縁部が受液器内周面に接触し、プラグに第１連通口が形成され、筒状体の上端開口が第２連通口となっている上記3)記載のコンデンサ。
【００１３】
5)吸い上げ部材が、上下両端が開口しかつ横断面形状が全長にわたって同一である第１筒状体と、上端が閉鎖されるとともに下端が開口し、かつ第１筒状体の上部の外周に嵌め被せられた第２筒状体と、第１筒状体の下端部内に挿入されたプラグとを有し、第２筒状体の周壁に仕切部が外向きに一体に設けられるとともに周縁部が受液器内周面に接触し、プラグに第１連通口が形成され、第２筒状体の周壁に第２連通口が形成されている上記3)記載のコンデンサ。
【発明の効果】
【００１４】
上記1)〜5)のコンデンサによれば、吸い上げ部材の吸い上げ路内に乾燥剤が封入され、冷媒流入口を通って受液器の第１空間内に流入した冷媒のすべてが、吸い上げ部材の吸い上げ路を通る際に乾燥剤に触れるようになっているので、吸い上げ部材の受液器内への脱着作業と同時に、受液器内への乾燥剤の収納作業および取り出し作業を行うことが可能になり、受液器内への乾燥剤の収納作業および取り出し作業が簡単になる。
【００１５】
上記2)のコンデンサによれば、必要とされる乾燥剤の量が一定の場合、乾燥剤の一部が仕切部よりも上方の第２空間に存在することになるので、受液器の第１空間の内容積を増加させることが可能になる。したがって、過冷度が一定となる安定化域の幅、すなわち過冷度が一定となる冷媒封入量の幅が広くなり、負荷変動や冷媒洩れに対してより安定した過冷特性が得られる。さらに、一般的に、コンデンサに求められる安定化域の幅を決定するために、受液器の容量が決定されるが、第１空間の内容積を増加させることが可能になると、受液器のコンパクト化および軽量化が可能になる。
【００１６】
上記3)のコンデンサによれば、吸い上げ部材内の乾燥剤が外部に流出することが防止されるとともに、冷媒中の異物が除去される。
【００１７】
上記4)のコンデンサによれば、吸い上げ部材の筒状体と仕切部との間の密着性が担保されるため、冷媒の吸い上げを確実に行うことができる。
【００１８】
上記5)のコンデンサによれば、吸い上げ部材の第１筒状体の長さを比較的簡単に変更することができるので、吸い上げ部材の長さを比較的簡単に変更することが可能になる。したがって、受液器の長さが異なる複数種のコンデンサに対応可能になる。
【図面の簡単な説明】
【００１９】
【図１】この発明のコンデンサの全体構成を示す正面図である。
【図２】図１のコンデンサを模式的に示す正面図である。
【図３】図１のコンデンサの要部を拡大して示す一部を省略した垂直断面図である。
【図４】図１のコンデンサの受液器内に配置される吸い上げ部材を示す分解斜視図である。
【図５】図１のコンデンサの受液器内に配置される吸い上げ部材の変形例を示す図３相当の図である。
【発明を実施するための形態】
【００２０】
以下、この発明の実施形態を、図面を参照して説明する。
【００２１】
以下の説明において、図１の紙面表裏方向を通風方向というものとする。
【００２２】
また、以下の説明において、「アルミニウム」という用語には、純アルミニウムの他にアルミニウム合金を含むものとする。
【００２３】
図１はこの発明のコンデンサの全体構成を具体的に示し、図２は図１のコンデンサを、一部の部材の図示を省略して模式的に示す。また、図３および図４は図１のコンデンサの要部の構成を示す。
【００２４】
図１および図２において、コンデンサ(1)は、凝縮部(1A)と、凝縮部(1A)の上方に設けられた過冷却部(1B)と、長手方向を上下方向に向けた状態で凝縮部(1A)と過冷却部(1B)との間に設けられ、かつ気液分離機能を有するタンク状受液器(2)とを備えている。
【００２５】
コンデンサ(1)は、幅方向を通風方向に向けるとともに長手方向を左右方向に向けた状態で上下方向に間隔をおいて配置された複数のアルミニウム製扁平状熱交換管(3)と、長手方向を上下方向に向けるとともに左右方向に間隔をおいて配置され、かつ熱交換管(3)の長手方向両端部がろう材により接合された２つのアルミニウム製ヘッダタンク(4)(5)と、隣り合う熱交換管(3)どうしの間および上下両端の熱交換管(3)の外側に配置されて熱交換管(3)にろう材により接合されたアルミニウム製コルゲートフィン(6)と、上下両端のコルゲートフィン(6)の外側に配置されてコルゲートフィン(6)にろう材により接合されたアルミニウム製サイドプレート(7)とを備えている。以下、ろう材による接合をろう付というものとする。
【００２６】
コンデンサ(1)の凝縮部(1A)には、上下に連続して並んだ複数の熱交換管(3)からなる少なくとも１つ、ここでは１つの熱交換パス(P1)が設けられている。また、コンデンサ(1)の過冷却部(1B)には、上下に連続して並んだ複数の熱交換管(3)からなる少なくとも１つ、ここでは１つの熱交換パス(P2)が設けられている。そして、各熱交換パス(P1)(P2)を構成する全ての熱交換管(3)の冷媒流れ方向が同一となっているとともに、隣り合う２つの熱交換パスの熱交換管(3)の冷媒流れ方向が異なっている。ここで、凝縮部(1A)の熱交換パス(P1)を第１熱交換パスといい、過冷却部(1B)の熱交換パス(P2)を第２熱交換パスというものとする。
【００２７】
両ヘッダタンク(4)(5)内は、それぞれ第１熱交換パス(P1)と第２熱交換パス(P2)との間の高さ位置に設けられたアルミニウム製仕切部材(8)(9)により上下方向に並んだ２つの区画(4a)(4b)(5a)(5b)に仕切られており、コンデンサ(1)における両仕切部材(8)(9)よりも下方に位置する部分が凝縮部(1A)となり、両仕切部材(8)(9)よりも上方に位置する部分が過冷却部(1B)となっている。
【００２８】
左側ヘッダタンク(4)における仕切部材(8)よりも下方の区画(4a)は、第１熱交換パス(P1)の熱交換管(3)の冷媒流れ方向上流側端部が通じる凝縮部入口ヘッダ(11)となっており、同じく上方の区画(4b)は、第２熱交換パス(P2)の熱交換管(3)の冷媒流れ方向下流側端部が通じる過冷却部出口ヘッダ(12)となっている。また、右側ヘッダタンク(5)における仕切部材(9)よりも下方の区画(5a)は、第１熱交換パス(P1)の熱交換管(3)の冷媒流れ方向下流側端部が通じる凝縮部出口ヘッダ(13)となっており、同じく上方の区画(5b)は、第２熱交換パス(P2)の熱交換管(3)の冷媒流れ方向上流側端部が通じる過冷却部入口ヘッダ(14)となっている。
【００２９】
左側ヘッダタンク(4)の凝縮部入口ヘッダ(11)の上部に冷媒入口(15)が形成され、左側ヘッダタンク(4)に冷媒入口(15)に通じるアルミニウム製冷媒入口部材(16)が接合されている。また、左側ヘッダタンク(4)の過冷却部出口ヘッダ(12)の下部に冷媒出口(17)が形成され、左側ヘッダタンク(4)に冷媒出口(17)に通じるアルミニウム製冷媒出口部材(18)が接合されている。右側ヘッダタンク(5)の凝縮部出口ヘッダ(13)の下端寄りの部分にヘッダ側冷媒流出口(19)が形成され、同じく過冷却部入口ヘッダ(14)の下部にヘッダ側冷媒流入口(21)が形成されている。
【００３０】
図２および図３に示すように、受液器(2)は、アルミニウム製円筒体(23)および円筒体(23)の下端にろう付されて円筒体(23)の下端開口を閉鎖するアルミニウム製下端閉鎖部材(24)からなり、かつ右側ヘッダタンク(5)にろう付された受液器本体(22)と、受液器本体(22)の上端開口を閉鎖する合成樹脂製の円柱状プラグ(25)（閉鎖部材）とを備えている。受液器本体(22)の円筒体(23)の下端寄りの部分には、ヘッダ側冷媒流出口(19)に通じる受液器側冷媒流入口(26)が形成され、同じく仕切部材(9)よりも上方の高さ位置には、ヘッダ側冷媒流入口(21)に通じる受液器側冷媒流出口(27)が形成されている。受液器本体(22)の円筒体(23)の内周面の上端部にはめねじ(23a)が形成されており、プラグ(25)の外周面に形成されたおねじ(25a)が受液器本体(22)のめねじ(23a)にねじ嵌められることにより、受液器本体(22)の上端部にプラグ(25)が着脱自在に取り付けられている。なお、受液器本体(22)の円筒体(23)の内周面におけるめねじ(23a)よりも下方の部分と、プラグ(25)の外周面におけるおねじ(25a)よりも下方の部分との間がＯリング(28)によってシールされている。
【００３１】
受液器(2)内に、受液器側冷媒流入口(26)およびヘッダ側冷媒流出口(19)を介して凝縮部(1A)の凝縮部出口ヘッダ(13)に通じる第１空間(29)と、第１空間(29)の上方に位置しかつ受液器側冷媒流出口(27)およびヘッダ側冷媒流入口(21)を介して過冷却部(1B)の過冷却部入口ヘッダ(14)に通じる第２空間(31)とが形成されている。
【００３２】
受液器(2)の第１空間(29)内に、第１空間(29)と第２空間(31)とを通じさせる吸い上げ路(33)を有する吸い上げ部材(32)が配置されており、第１空間(29)内の冷媒が、吸い上げ部材(32)の吸い上げ路(33)を通って第２空間(31)内に入るようになされている。吸い上げ部材(32)の吸い上げ路(33)内に、粒状の乾燥剤(34)が封入されており、第１空間(29)内に流入した冷媒のすべてが、吸い上げ部材(32)の吸い上げ路(33)を通って第２空間(31)内に入る際に乾燥剤(34)に触れるようになっている。また、吸い上げ部材(32)には、吸い上げ路(33)を第１空間(29)に通じさせる第１連通口(35)および第２空間(31)に通じさせる第２連通口(36)が形成されている。
【００３３】
図３および図４に示すように、吸い上げ部材(32)は、上下両端が開口しかつ横断面形状が全長にわたって同一である合成樹脂製円筒状体(37)と、円筒状体(37)の下端部内に挿入された合成樹脂製プラグ(38)とを有しており、円筒状体(37)内に吸い上げ路(33)が形成されている。
【００３４】
吸い上げ部材(32)の円筒状体(37)の周壁における上端から一定長さだけ下方の高さ位置に、外向きフランジ(37a)が一体に形成されるとともに、外向きフランジ(37a)の周縁部が受液器(2)の受液器本体(22)の円筒体(23)の内周面に密接しており、外向きフランジ(37a)が、受液器(2)内を第１空間(29)と第２空間(31)とに区画する仕切部(39)となっている。したがって、吸い上げ部材(32)の円筒状体(37)の上部には、仕切部(39)よりも上方に突出した上方突出部(41)が設けられていることになり、吸い上げ部材(32)の吸い上げ路(33)が、仕切部(39)よりも下方に形成された主通路部(33a)、および主通路部(33a)に通じるように上方突出部(41)に形成された延長通路部(33b)よりなる。乾燥剤(34)は、吸い上げ部材(32)の円筒状体(37)の吸い上げ路(33)の主通路部(33a)から延長通路部(33b)にかけて封入されている。吸い上げ部材(32)の円筒状体(37)の上端開口が、吸い上げ路(33)を第２空間(31)に通じさせる第２連通口(36)となっており、第２連通口(36)が、冷媒を通過させるとともに乾燥剤(34)の流出を防止する流出防止部材(42)により覆われている。
【００３５】
プラグ(38)は、上端が閉鎖されるとともに下端が閉鎖された筒状であり、周壁の外周面が上方に向かって縮径された円錐面状となっている。プラグ(38)の周壁に、吸い上げ部材(32)の吸い上げ路(33)を第１空間(29)に通じさせる複数の第１連通口(35)が形成されており、第１連通口(35)が、冷媒を通過させるとともに乾燥剤(34)の流出を防止し、かつ異物を除去するフィルタ(43)により覆われている。
【００３６】
コンデンサ(1)は、圧縮機、膨張弁（減圧器）およびエバポレータとともに冷凍サイクルを構成し、カーエアコンとして車両に搭載される。
【００３７】
上述した構成のコンデンサ(1)において、圧縮機により圧縮された高温高圧の気相冷媒が、冷媒入口部材(16)および冷媒入口(15)を通って左側ヘッダタンク(4)の凝縮部入口ヘッダ(11)内に流入し、第１熱交換パス(P1)の熱交換管(3)内を左方に流れる間に凝縮させられて右側ヘッダタンク(5)の凝縮部出口ヘッダ(13)内に流入する。右側ヘッダタンク(5)の凝縮部出口ヘッダ(13)内に流入した冷媒は、ヘッダ側冷媒流出口(19)および受液器側冷媒流入口(26)を通って受液器(2)内の第１空間(29)に入る。
【００３８】
受液器(2)内の第１空間(29)に流入した冷媒は気液混相冷媒であり、当該気液混相冷媒のうち液相主体混相冷媒は重力により受液器(2)内の下部に溜まる。受液器(2)内の下部に溜まった液相主体混相冷媒は、フィルタ(43)を通過して第１連通口(35)から吸い上げ部材(32)の吸い上げ路(33)内に入り、吸い上げ路(33)内を通って第２空間(31)内に流入する。冷媒が吸い上げ路(33)内を通る際に、すべての冷媒が吸い上げ路(33)内の乾燥剤(34)に接触し、これにより冷媒中の水分が除去される。
【００３９】
受液器(2)内の第２空間(31)に流入した液相主体混相冷媒は、受液器側冷媒流出口(27)およびヘッダ側冷媒流入口(21)を通って右側ヘッダタンク(5)の過冷却部入口ヘッダ(14)内に入る。
【００４０】
右側ヘッダタンク(5)の過冷却部入口ヘッダ(14)内に入った冷媒は、第２熱交換パス(P2)の熱交換管(3)内を左方に流れる間に過冷却された後、左側ヘッダタンク(4)の過冷却部出口ヘッダ(12)内に入り、冷媒出口(17)および冷媒出口部材(18)を通って流出し、膨張弁を経てエバポレータに送られる。
【００４１】
上述したコンデンサ(1)を用いたカーエアコンに冷媒を封入する際には、乾燥剤(34)の一部が仕切部(39)よりも上方の第２空間(31)に存在することになるので、受液器(2)の第１空間(29)の内容積を増加させることが可能になる。したがって、過冷度が一定となる安定化域の幅、すなわち過冷度が一定となる冷媒封入量の幅が広くなり、負荷変動や冷媒洩れに対してより安定した過冷特性が得られる。
【００４２】
図５は、受液器(2)内に配置される吸い上げ部材の変形例を示す。
【００４３】
図５において、受液器(2)の第１空間(29)内に配置され、かつ第１空間(29)と第２空間(31)とを通じさせる吸い上げ路(51)を有する吸い上げ部材(50)は、上下両端が開口しかつ横断面形状が全長にわたって同一である合成樹脂製第１円筒状体(52)と、上端が閉鎖されるとともに下端が開口し、かつ第１円筒状体(52)の上部の外周に嵌め被せられた合成樹脂製第２円筒状体(53)と、第１円筒状体(52)の下端部内に挿入されたプラグ(38)とを有している。第１円筒状体(52)の上端は第２円筒状体(53)の高さの中間部に位置しており、吸い上げ路(51)は第１円筒状体(52)および第２円筒状体(53)の内部にまたがるように形成されている。
【００４４】
吸い上げ部材(50)の第２円筒状体(53)の周壁下端に、外向きフランジ(53a)が一体に形成されるとともに、外向きフランジ(53a)の周縁部が受液器(2)の受液器本体(22)の円筒体(23)の内周面に密接しており、外向きフランジ(53a)が、受液器(2)内を第１空間(29)と第２空間(31)とに区画する仕切部(54)となっている。したがって、吸い上げ部材(50)の上部には、仕切部(54)よりも上方に突出した上方突出部(55)が設けられている。上方突出部(55)は、第１円筒状体(52)における第２円筒状体(53)内に入り込んでいる部分と、第２円筒状体(53)における第１円筒状体(52)の上端よりも上方に位置する部分とよりなり、吸い上げ部材(50)の吸い上げ路(51)は、第１円筒状体(52)における仕切部(54)よりも下方に形成された主通路部(51a)、および主通路部(51a)に通じるように上方突出部(55)、すなわち第１円筒状体(52)の仕切部(54)よりも上方に位置する部分および第２円筒状体(53)における第１円筒状体(52)の上端よりも上方に位置する部分にまたがって形成された延長通路部(51b)よりなる。
【００４５】
吸い上げ部材(50)の第２円筒状体(53)における第１円筒状体(52)の上端よりも上方に位置する部分の周壁に、吸い上げ路(51)を第２空間(31)に通じさせる複数の第２連通口(56)が形成されており、第２連通口(56)が、冷媒を通過させるとともに乾燥剤(34)の流出を防止する流出防止部材(57)により覆われている。
【００４６】
その他の構成は、上述した実施形態における吸い上げ部材(32)と同様である。
【産業上の利用可能性】
【００４７】
この発明によるコンデンサは、自動車に搭載されるカーエアコンに好適に用いられる。
【符号の説明】
【００４８】
(1)：コンデンサ
(1A)：凝縮部
(1B)：過冷却部
(2)：受液器
(3)：熱交換管
(26)：受液器側冷媒流入口
(27)：受液器側冷媒流出口
(29)：第１空間
(31)：第２空間
(32)(50)：吸い上げ部材
(33)(51)：吸い上げ路
(33a)(51a)：主通路部
(33b)(51b)：延長通路部
(34)：乾燥剤
(35)：第１連通口
(36)(56)：第２連通口
(37)：円筒状体
(38)：プラグ
(39)(54)：仕切部
(41)(55)：上方突出部
(42)(57)：流出防止部材
(43)：フィルタ
(52)：第１円筒状体
(53)：第２円筒状体
【図１】
2019138500.tif 000003
【図２】
2019138500.tif 000004
【図３】
2019138500.tif 000005
【図４】
2019138500.tif 000006
【図５】
2019138500.tif 000007